(57)【要約】【課題】撮影による文化財のデジタルアーカイブや、画像の分析への応用に関し、正確な色データの取得が可能であり、かつ光源の被写体への影響を最小限にすることができる光源を提供することである。【解決手段】撮像装置の主走査方向に対して照度が減衰するという問題を解決するため、ひとつの光源につき電源ユニットを２つ装備し、線状の光照射部の両側へ光を出射する。また、色データのノイズを軽減するため、異なる光源を混合し、それらの混合比及び照度を調節して出射する。このことにより、白基準板を撮影した時にR、G、Bそれぞれのセンサ出力が一致し、センサ出力に対してゲインをほとんどかける必要がなくなることからノイズを軽減することができる。また、光源が被写体に及ぼす影響も少ない。【選択図】図１
2010103723.tif 000002
【特許請求の範囲】
【請求項１】
光を出射する電源ユニットと、前記の光を伝送する光ファイバケーブルと、伝送された光を集光し照射する線状の光照射部とを備え、複種類の光源を光ファイバケーブル内で混合させて、光照射部の両側に出射することを特徴とする撮影用線状光源。
【請求項２】
線状のレンズを備えることを特徴とする請求項１に記載の撮影用線状光源。
【請求項３】
照度を調節できる電源ユニットを備えた光源からなることを特徴とする請求項１に記載の撮影用線状光源。
【請求項４】
取付部が、光の照明角度を調節できるようになっていることを特徴とする請求項１に記載の撮影用線状光源。
【請求項５】
被写体に対して片側から照明を当てたり、両側から照明を当てたり、赤外光を当てたりして、様々な照明方法が選択できることを特徴とする請求項１に記載の撮影用線状光源。
【請求項６】
光ファイバケーブルを伝って、複数の光照射部を備えることを特徴とする請求項１に記載の撮影用線状光源。
【発明の詳細な説明】
【技術分野】
【０００１】
本発明は走査型撮像装置（以下、撮像装置という）の光源に関し、特に例えば貴重な平面文化財のように、撮像時の光源の被写体への影響を最小限にすることが求められる物体を被写体とし、かつ忠実な色再現に必須である、正確な色データの取得を実現するための撮像装置に用いる、撮影用線状光源に関するものである。
【背景技術】
【０００２】
撮像装置によって取得する色データは、光源の分光特性、被写体の分光反射率、受光センサ（以下、センサという）前に設置されたR、G、Bカラーフィルタの分光透過特性、センサ感度の積で表される。従って、撮影において正確な色データを取得するには、光源の選定が非常に重要である。
正確な色データ取得を実現する光源は、下記の要件（１）〜（３）を同時に満たす必要がある。
・  被写体の主走査方向に光が一様の照度で当たること。
・  波長に対して反射率が一様であるという白基準板を撮影した時に、R、G、Bそれぞれのセンサ出力がほぼ一致するような分光特性であること。
・  撮影時に照度と分光特性が安定していること。
また、光源による影響を最小限にすることが求められる物体を被写体とする場合は、光の照度を調節できる必要がある。このため、（１）〜（３）に加え、
（４） 照度の調節、最適化が可能であること。
が要求される。
従来は、ハロゲンランプ、メタルハライドランプ、冷陰極蛍光ランプ、LED等の光源を単独で用いているため、前記の要件（１）〜（４）を同時に満たすことはない。
これらすべての要件を同時に満たす可能性のある光源として、性質上、単独では（３）、（４）の要件を満たすハロゲンランプ、メタルハライドランプの混合光源が考えられる。この混合光源は、電源ユニットから光ファイバを伝って線状の光照射部に光を出射することで線状光源を実現する。
【発明の開示】
【発明が解決しようとする課題】
【０００３】
しかしながら、光照射部の片側にのみ光を出射して用いる場合は、出射部から距離が遠くなるほど光が減衰し、撮像装置の主走査方向において、被写体に光が一様の照度で当たらないという問題がある。即ち、要件（１）を満たしていない。また、これらの光源を単独で用いる場合は、白基準板を撮影した時にR、G、Bそれぞれのセンサ出力が一致しないため、ゲインを調節してセンサ出力を一致させなければならず、色データにノイズがのりやすいという問題がある。即ち、要件（２）を満たしていない。本発明の目的は、ハロゲンランプ、メタルハライドランプを混合させて要件（１）、（２）を同時に満たす光源を開発し、前記（１）〜（４）の要件をすべて同時に満たす、即ち正確な色データの取得が可能であり、かつ光源の被写体への影響を最小限にすることができる光源を提供することである。
【課題を解決するための手段】
【０００４】
撮像装置の主走査方向に対して照度が減衰するという問題を解決するため、本発明による撮影用線状光源は、ひとつの光源につき電源ユニットを２つ装備し、線状の光照射部の両側へ光を出射することを特徴とする。次に、白基準板を撮影した時にR、G、Bそれぞれのセンサ出力が一致しないという問題を解決するため、本発明による撮影用線状光源は、異なる光源を混合し、それらの混合比及び照度を調節して出射することを特徴とする。ここで異なる光源とは、分光特性が異なる光源のことをいう。
【発明の効果】
【０００５】
本発明によれば、主走査方向の照度誤差が１％未満で、かつ白基準板を撮影した時にR、G、Bそれぞれのセンサ出力がほぼ一致するような分光特性を持ち、被写体への影響を最小限にすることが可能な光源を得られる。さらに本発明の光源を搭載した撮像装置によれば、主走査方向に対してノイズが少ない色データ取得が可能であり、光源が被写体に及ぼす影響も少ない。
【発明を実施するための最良の形態】
【０００６】
本発明の実施の形態について図面を参照して説明する。図１は電源ユニットから線状の光照射部まで光が伝送される様子をブロック図で表したものであり、図２は撮影用線状光源の三面図である。図１において、ハロゲンランプ電源、メタルハライド電源から出射した光は、それぞれ光ファイバケーブルを伝い、指定された混合比及び照度に従ってケーブル内で混合され、光照射部に出射する。このようにして、白基準板を撮影した時にR、G、Bそれぞれのセンサ出力が一致するような分光特性を実現し、要件（２）を満たした。
また、光はケーブルを伝って、線状の光照射部の両側へ出射する。このため、撮像装置の主走査方向に対して被写体に光を一様の照度で当てることができた。即ち、要件（１）を満たした。
図３は撮像装置における、本発明による撮影用線状光源の実施の形態である。図３において、３１は撮像カメラ、３２は撮像装置のフレーム、３３は光照射部である。３１は中にラインCCDセンサを搭載しており、３１と３３が同期して副走査方向に動くことによって画像を撮影する。本発明による撮影用線状光源を搭載した撮像装置により撮影される画像は、主走査方向に対してノイズが少ない安定した画像となった。
【０００７】
以上述べたように、請求項１記載の発明によれば、主走査方向の照度誤差が１％未満で、かつ白基準板を撮影した時にR、G、Bそれぞれのセンサ出力がほぼ一致するような分光特性を持ち、被写体への影響を最小限にすることが可能な光源を得られるという効果がある。また、請求項１記載の発明を搭載した撮像装置によれば、主走査方向に対してノイズが少ない色データ取得が可能であり、光源が被写体に及ぼす影響も少ない。
請求項２記載の発明によれば、光源が発する光を集光し、被写体への照射範囲を狭め、光源による被写体への影響を軽減する効果がある。
請求項３記載の発明によれば、照度を調節することで、光源による被写体への影響を最小限にすることが可能である。即ち、撮像装置において、副走査方向の画像取込速度に対して照度の最適化を行うことができる。
請求項４記載の発明によれば、光照射部の角度を変えることで、斜光による撮影が可能である。
請求項５記載の発明によれば、被写体に対して片側から照明を当てたり、両側から照明を当てたり、赤外光を当てたりして、被写体や撮像の目的に合わせた様々な照明方法が選択できるという効果がある。
【図面の簡単な説明】
【０００８】
【図１】電源ユニットから光照射部までのブロック図である。
【図２】撮影用線状光源の三面図である。
【図３】撮影用線状光源の実施例を示す、撮像装置の三面図である。
【符号の説明】
【０００９】
２１  光源
２２  光源カバー
３１  撮像カメラ
３２  撮像装置フレーム
３３  光照射部
【図１】
2010103723.tif 000003
【図２】
2010103723.tif 000004
【図３】
2010103723.tif 000005